(57)【要約】【課題】本発明は、収穫作業者が搭乗する乗用型根菜類収穫機を機体の全長が短く左右幅を狭くした小型の乗用型根菜類収穫機とすることを課題とする。【解決手段】左右のクローラ走行装置１，１で走行する機体２の前部から後上方にかけて作物を拾い上げて搬送する拾上げコンベア３を設け、該拾上げコンベア３の終端下部から作物を受けてさらに上昇する汲上げコンベア４を設け、該汲上げコンベア４の終端下部に作物を収納するコンテナ５を受けて昇降するコンテナ受台６を設け、機体２の各部を駆動する原動機７を汲上げコンベア４の下部に搭載し、拾上げコンベア３の側部に操縦者が乗る乗車ステップ８と操縦装置９を設けた乗用型根菜類収穫機とする。【選択図】図１
2019004737.tif 000002
【特許請求の範囲】
【請求項１】
左右のクローラ走行装置（１，１）で走行する機体（２）の前部から後上方にかけて作物を拾い上げて搬送する拾上げコンベア（３）を設け、該拾上げコンベア（３）の終端下部から作物を受けてさらに上昇する汲上げコンベア（４）を設け、該汲上げコンベア（４）の終端下部に作物を収納するコンテナ（５）を受けて昇降するコンテナ受台（６）を設け、前記機体（２）の各部を駆動する原動機（７）を前記汲上げコンベア（４）の下部に搭載し、前記拾上げコンベア（３）の側部に操縦者が乗る乗車ステップ（８）と操縦装置（９）を設けた乗用型根菜類収穫機。
【請求項２】
前記原動機（７）の上部を原動カバー（１０）で覆い、前記原動カバー（１０）上に伸びる前記汲上げコンベア（４）の後部を起伏可能にしたことを特徴とする請求項１に記載の乗用型根菜類収穫機。
【請求項３】
前記コンテナ受台（６）の上部を上リンク（１１）で前記原動機（７）に連結し下部を左右の下リンク（１２）で前記機体（２）に連結して前記コンテナ受台（６）を上昇させると前記汲上げコンベア（４）の終端に近づくことを特徴とする請求項１に記載の乗用型根菜類収穫機。
【請求項４】
前記クローラ走行装置（１，１）は複数の転輪（１３）と従動輪（１４，１４）を軸支する底部フレーム（１５）と駆動輪（１６）を軸支する縦フレーム（１７）を連結フレーム（１８）で側面視三角状に連結してトラックフレーム（２４）を構成し、複数の前記転輪（１３）と前記従動輪（１４，１４）と前記駆動輪（１６）にクローラ（１９）を巻回して構成したことを特徴とする請求項１に記載の乗用型根菜類収穫機。
【請求項５】
左右の前記クローラ走行装置（１，１）の底部フレーム（１５）に連結してステップ支持フレーム（２０）を設け、該ステップ支持フレーム（２０）で支持する前記乗車ステップ（８，８）に操縦席（２１）と前記操縦装置（９）、及び補助作業者席（２２）を設けたことを特徴とする請求項１に記載の乗用型根菜類収穫機。
【請求項６】
左右の前記クローラ走行装置（１，１）の間に前記拾上げコンベア（３）を設けると共に該拾上げコンベア（３）を前記機体（２）に起伏可能に装着し、左右の前記クローラ走行装置（１，１）を駆動する前記原動機（７）で前記汲上げコンベア（４）を駆動し前記拾上げコンベア（３）を前記原動機（７）とは別の駆動源（２３）で駆動することを特徴とする請求項１に記載の乗用型根菜類収穫機。
【発明の詳細な説明】
【技術分野】
【０００１】
本発明は、馬鈴薯や玉ねぎなどの作物を圃場から掘り上げてまたは拾い上げて収穫する乗用型根菜類収穫機に関する。
【背景技術】
【０００２】
乗用型根菜類収穫機は、例えば、特許文献１に記載している。
【０００３】
この根菜類収穫機は、圃場の作物を機体前方から取り込んで後方へ移送する第一搬送装置と、該第一搬送装置を昇降可能に支持して作物を後上方へ移送する第二搬送装置と、該第二搬送装置から作物を受ける中間コンベヤと、該中間コンベヤから作物を受けて搬送する選別搬送装置と、該選別搬送装置で搬送される作物を受ける作物収容容器を支持するコンテナ受台で構成されている。機体の操縦者が搭乗する乗車台や各駆動装置を駆動するエンジン等の原動機の配置は、記載されていない。
【先行技術文献】
【特許文献】
【０００４】
【特許文献１】特許第４９９２２９１号公報
【発明の概要】
【発明が解決しようとする課題】
【０００５】
前記従来の乗用型根菜類収穫機は、機体の前後方向に、第一搬送装置と第二搬送装置と中間コンベヤと選別搬送装置とコンテナ受台が設けられているために、機体全長が長く、しかも機体の左側部に作業者が搭乗する作業ステップが設けられ、選別搬送装置から右側方に向けて小玉排出コンベアが張り出すようになっているために、機体左右幅が広い。このために、根菜類収穫機を圃場へ移動するに広い移動路が必要で、作業終了時に収納する広い納屋が必要になる。
【０００６】
本発明は、収穫作業者が搭乗する乗用型根菜類収穫機を機体の全長が短く左右幅を狭くした小型の乗用型根菜類収穫機とすることを課題とする。
【課題を解決するための手段】
【０００７】
上記本発明の課題は、次の技術手段により解決される。
【０００８】
請求項１の発明は、左右のクローラ走行装置（１，１）で走行する機体（２）の前部から後上方にかけて作物を拾い上げて搬送する拾上げコンベア（３）を設け、該拾上げコンベア（３）の終端下部から作物を受けてさらに上昇する汲上げコンベア（４）を設け、該汲上げコンベア（４）の終端下部に作物を収納するコンテナ（５）を受けて昇降するコンテナ受台（６）を設け、機体２の各部を駆動する原動機（７）を汲上げコンベア（４）の下部に搭載し、拾上げコンベア（３）の側部に操縦者が乗る乗車ステップ（８）と操縦装置（９）を設けた乗用型根菜類収穫機とする。
【０００９】
請求項２の発明は、原動機（７）の上部を原動カバー（１０）で覆い、原動カバー（１０）上に伸びる汲上げコンベア（４）の後部を起伏可能にしたことを特徴とする請求項１に記載の乗用型根菜類収穫機とする。
【００１０】
請求項３の発明は、コンテナ受台（６）の上部を上リンク（１１）で原動機（７）に連結し下部を左右の下リンク（１２）で機体（２）に連結してコンテナ受台（６）を上昇させると汲上げコンベア（４）の終端に近づくことを特徴とする請求項１に記載の乗用型根菜類収穫機とする。
【００１１】
請求項４の発明は、クローラ走行装置（１，１）は複数の転輪（１３）と従動輪（１４，１４）を軸支する底部フレーム（１５）と駆動輪（１６）を軸支する縦フレーム（１７）を連結フレーム（１８）で側面視三角状に連結してトラックフレーム（２４）を構成し、複数の転輪（１３）と従動輪（１４，１４）と駆動輪（１６）にクローラ（１９）を巻回して構成したことを特徴とする請求項１に記載の乗用型根菜類収穫機とする。
【００１２】
請求項５の発明は、左右のクローラ走行装置（１，１）の底部フレーム（１５）に連結してステップ支持フレーム（２０）を設け、該ステップ支持フレーム（２０）で支持する乗車ステップ（８，８）に操縦席（２１）と操縦装置（９）、及び補助作業者席（２２）を設けたことを特徴とする請求項１に記載の乗用型根菜類収穫機とする。
【００１３】
請求項６の発明は、左右のクローラ走行装置（１，１）の間に拾上げコンベア（３）を設けると共に該拾上げコンベア（３）を機体（２）に起伏可能に装着し、左右のクローラ走行装置（１，１）を駆動する原動機（７）で汲上げコンベア（４）を駆動し拾上げコンベア（３）を原動機（７）とは別の駆動源（２３）で駆動することを特徴とする請求項１に記載の乗用型根菜類収穫機とする。
【発明の効果】
【００１４】
請求項１の発明で、機体（２）の操縦者は、乗車ステップ（８）に乗って操縦装置（９）を操作しながら走行させて収穫作業を行うが、左右のクローラ走行装置（１，１）で走行する機体（２）には拾上げコンベア（３）と汲上げコンベア（４）とコンテナ受台（６）が設けられるだけなので、従来の乗用型根菜類収穫機よりも機体全長が短くなる。
【００１５】
請求項２の発明で、請求項１の効果に加えて、原動機（７）が原動カバー（１０）で覆われて汲上げコンベア（４）から泥土等が原動機（７）に降り掛かるのを防ぎ、汲上げコンベア（４）の後部を起立させると原動機（７）のメンテナンスが出来る。
【００１６】
請求項３の発明で、請求項１の効果に加えて、コンテナ受台（６）が上リンク（１１）で原動機（７）に連結されることで新たな連結支持部材を設けることなく部品構成が簡略化して機体（２）の全長を短くする。また、コンテナ受台（６）を上昇させるとコンテナ（５）が汲上げコンベア（４）の終端に近づいて作物のコンテナ（５）内への落下距離が短くなって、作物が落下衝撃で傷つくのを防がれる。
【００１７】
請求項４の発明で、請求項１の効果に加えて、クローラ走行装置（１）が底部フレーム（１５）と縦フレーム（１７）と連結フレーム（１８）で側面視三角状のトラックフレームに構成されるので、機体（２）に加わる荷重をトラックフレーム（２４）で分散して強固に支持し、クローラ走行装置（１）の耐久性が向上する。
【００１８】
請求項５の発明で、請求項１の効果に加えて、汲上げコンベア（４）の左右に位置して片側の乗車ステップ（８）に設けた操縦席（２１）に操縦者が座って操縦装置（９）を操作して操縦しながら他側の乗車ステップ（８）に設けた補助作業者席（２２）に補助作業者が座って汲上げコンベア（４）上を搬送される作物の選別作業が行える。
【００１９】
請求項６の発明で、請求項１の効果に加えて、拾上げコンベア（３）を上昇させて走行することで圃場外の路上を移動出来るが、左右クローラ走行装置（１，１）の間に拾上げコンベア（３）を設けているので、左右クローラ走行装置（１，１）の接地長さを長くして接地圧を低くして走行性を良くし、汲上げコンベア（４）を左右クローラ走行装置（１，１）を駆動する原動機（７）で駆動することで走行速度に適した搬送速度で作物をコンテナ（５）に送り込み、拾上げコンベア（３）を原動機（７）とは別の駆動源（２３）で駆動することで拾上げコンベア（３）の搬送速度を作物が転げ落ちない最適の搬送速度に調整出来る。
【図面の簡単な説明】
【００２０】
【図１】本発明の乗用型根菜類収穫機の左側面図である。
【図２】本発明の乗用型根菜類収穫機の平面図である。
【発明を実施するための形態】
【００２１】
以下、本発明の実施形態を図面に示す実施例を参照しながら説明する。なお、実施例の説明においては、機体の前進方向に向かって左右方向をそれぞれ左、右といい、前進方向を前、後進方向を後というが、本発明の構成を限定するものでは無い。
【００２２】
左右のクローラ走行装置１，１で支持する機体２の前側から後側にかけて後上がりの傾斜状態で拾上げコンベア３を設け、この拾上げコンベア３の終端下部から側面視で階段状に上昇する汲上げコンベア４を設け、この汲上げコンベア４の後端下部で最後部にコンテナ５を搭載するコンテナ受台６を設けて、拾上げコンベア３の左右側部に位置するクローラ走行装置１のトラックフレーム２４から立設するステップ支持フレーム２０に乗車ステップ８を設け、右側の乗車ステップ８には操縦席２１と操向レバー９等の操縦装置を設ける操縦台２５を設け、左側の乗車ステップ８には補助作業者が座る補助作業者席２２を設けている。
【００２３】
拾上げコンベア３は、棒状の搬送バー３ａを密な間隔で配置したコンベアで、前側の従動スプロケット３ｃと後側の駆動スプロケット３ｂに巻き掛けたチェンに搬送バー３ａを横架して駆動スプロケット３ｂを伝動モータ２３で駆動する。
【００２４】
拾上げコンベア３の先端には前下方に向けて左右幅の広い拾上げ鋤刃２６を設けている。この拾上げ鋤刃２６の後部には土落とし用のスリット２６ａを形成している。
【００２５】
拾上げコンベア３のコンベアフレーム３ｄと左右クローラ走行装置１，１のトラックフレーム２４を連結するトラック連結フレーム２７の間に拾上げコンベア昇降シリンダ２８を設け、駆動スプロケット３ｂ側を中心に拾上げコンベア３を昇降可能としている。
【００２６】
また、拾上げコンベア３の前上方に掻込ピン２９ａを設ける掻込リール２９を掻き込みアーム３０で枢支し、掻込シリンダ３１で拾上げコンベア３に対して昇降するようにしている。掻込リール２９は掻き込みアーム３０に取り付けた掻込駆動モータ３２で駆動回転する。
【００２７】
より具体的には、掻込駆動モータ３２の駆動により回転する掻込駆動スプロケット３３ａと、該掻込駆動スプロケット３３ａから掻込伝動チェンを介して駆動力を受ける掻込従動スプロケット３３ｂが回転することで、掻込リール２９が回転する。なお、掻込駆動モータ３２は正逆転モータとし、掻込リール２９と拾上げコンベア３の間に作物が詰まったとき等に逆転させることで、詰まりを解消しやすい構成とすると、作物の詰まりにより作業が中断される時間が短くなり、作業能率が向上する。
【００２８】
汲上げコンベア４は、棒状の搬送バー４ｅを密な間隔で配置したコンベアで、駆動スプロケット４ａと第一スプロケット４ｂと第二スプロケット４ｃと従動スプロケット４ｄに巻き掛けたチェンに搬送バー４ｅを横架して駆動スプロケット４ａを下部に搭載する原動機７で駆動する。また、原動機７の上部に位置する汲上げコンベア４の後部は第二スプロケット４ｃを中心に上方へ起立して原動機７の上部を開放できるようにしている。
【００２９】
より具体的には、原動機７の機体左右一側に設ける汲上げ伝動ケース４０に内装する出力スプロケット４１から原動機７の駆動力を出力し、伝動チェンを介して入力スプロケット４２に駆動力を伝達する。そして、該入力スプロケット４２を左右一側に装着する汲上げ入力軸４３に前記駆動スプロケット４ａを設け、この駆動スプロケット４ａの回転により汲上げコンベア４を駆動させる。なお、原動機７の側方のうち、前記汲上げ伝動ケース４０を設けた側とは反対側には従動汲上げ伝動ケース４４を設ける。該従動汲上げ伝動ケース４４内には、前記汲上げ入力軸４３に装着されたもう一つの駆動スプロケット４ａと第一スプロケット４ｂ、第二スプロケット４ｃと従動スプロケット４ｄを設け、チェンを巻き掛けて、左右一側と同様に汲上げコンベア４を駆動させる構成とする。
【００３０】
なお、原動機７の上部は、原動カバー１０を設け、汲上げコンベア４から落下する泥土や葉屑等の夾雑物が原動機７に降り掛からないようにしている。
【００３１】
機体２の最後部には、コンテナ５を載せるコンテナ受台６を原動機７に連結する左右一対の上リンク１１と原動機７下部のミッションケース３３に連結する左右一対の下リンク１２で支持して、原動機７に連結する中リンク３５と下リンク１２を油圧シリンダ３４で連結して、コンテナ５を上昇して汲上げコンベア４の後端に近づけたり降下してコンテナ５の後下端を接地したり出来るようにしている。従って、作物を最初にコンテナ５に投入する際にはコンテナ５を上昇させて作物の落下衝撃を低下させ、満杯のコンテナ５を圃場に降ろす場合にはコンテナ５を降下させて後下端を接地させて機体２を前進させるとコンテナ５を安定して圃場に降ろせる。
【００３２】
クローラ走行装置１は、拾上げコンベア３の左右側部に位置して、前後端部に従動輪１４を軸支して中間部に複数の転輪１３を軸支した底部フレーム１５と上端に駆動輪１６を軸支した縦フレーム１７と斜めに連結する連結フレーム１８で側面視三角状のトラックフレーム２４を構成し、クローラ１９を従動輪１４、１４と各転輪１３と駆動輪１６に巻き掛けている。
【００３３】
また、縦フレーム１７に立設するステップ支持フレーム２０で乗車ステップ８を拾上げコンベア３の左右に設け、右側の乗車ステップ８には操向レバー等の操縦装置９を設ける操縦台２５を立設し、この操縦台２５の後部に操縦者が座る操縦席２１を設け、左側の乗車ステップ８には補助作業者が座る補助作業者席２２を設けている。
【００３４】
次に収穫作業を説明すると、馬鈴薯や玉ねぎなどの作物の収穫作業は、乗車ステップ８の操縦席２１に座った操縦者が操縦装置９を操作してクローラ走行装置１を駆動して機体２を走行させる。作物は事前に掘り起こして乾燥させたりしておいたり掘り起こしながら収穫を行うことも出来るが、機体２の最前部に設ける拾上げ鋤刃２６で作物を掬い上げて掻込リール２９で転げ落ちを防ぎながら拾上げコンベア３に載せる。
【００３５】
拾上げコンベア３上で搬送される作物が汲上げコンベア４上に移されてさらに上昇して終端から上昇支持されたコンテナ受台６に載せられたコンテナ５の内部に落下集積される。汲上げコンベア４の前部では補助作業者席２２に座る補助作業者や操縦者が作物の選別を行う。
【００３６】
コンテナ５が満杯になると、クローラ走行装置１を停止してコンテナ受台６を降下させ、コンテナ５の後底部を圃場に接地して、機体２を前進することでコンテナ５を完全に圃場へ降ろし、後作業でコンテナ５を回収して収穫作業を終了する。
【００３７】
上記の構成では、汲上げコンベア４を拾上げコンベア３よりも機体上方に大きく傾斜させ、この汲上げコンベア４の後部で且つ下方に形成される空間部を利用して原動機７を設けることにより、機体の前後幅を短くすることができるので、機体を軽トラック等の輸送手段に積み下ろししやすくなると共に、倉庫に収納する際、占有するスペースが小さくなる。
【００３８】
また、汲上げコンベア４の後部は上下方向に回動可能に構成し、コンテナ５内の作物の収容量に合わせて汲上げコンベア４を昇降させることで、汲上げコンベア４の搬送終端部からコンテナ５への作物の落下距離を短くでき、落下により作物が傷付くことが防止される。
【００３９】
また、汲上げコンベア４の後部を上方に回動させると、空間部に設ける原動機７の上方が開放されるので、メンテナンス等の作業が行いやすくなる。
【００４０】
また、回動部の下部に原動カバー１０を設けたことにより、土砂や葉屑等の夾雑物が原動機７に付着することを防止できるので、原動機７の破損が防止されると共に、夾雑物を取り除く作業に要する労力が軽減される。
【００４１】
そして、コンテナ受け台６の昇降機構を原動機７とミッションケース３３の後部の上下方向の壁面を利用して各々装着することにより、元々の強度の高い部分を利用することができるので、コンテナ受け台６の支持が安定する。これに加えて、昇降機構の取付に必要な部品点数が削減される。
【００４２】
また、昇降装置を三点リンクで構成したことにより、コンテナ受け台６を昇降に連動させて傾斜させることができるので、収容する作物の量に合わせてコンテナ５の上下位置と傾斜姿勢を容易に変更でき、作業能率が向上すると共に、操作の簡略化が図られる。
【００４３】
また、コンテナ受け台６を、上昇させるほど機体前側上方に向かう傾斜姿勢となる構成としたことにより、コンテナ５の機体前側の内面を汲上げコンベア４の搬送終端部に近づけることができるので、作物の落下距離がさらに短くなり、落下の衝撃で作物が傷付くことが防止される。
【００４４】
そして、クローラ走行装置１を構成するトラックフレーム２４を三角形状としたことにより、荷重を分散しやすくなるので、拾上げコンベア３や汲上げコンベア４の重量により破損しにくく、耐久性が向上する。
【００４５】
また、縦フレーム１７の上端側に駆動輪１６を設けることにより、駆動輪１６を拾上げコンベア３と干渉しない位置に配置することができるので、拾上げコンベア３の傾斜角度が抑えられ、搬送中の作物が転げ落ちることが防止される。
【００４６】
そして、乗車ステップ８をステップ支持フレーム２０を介してトラックフレーム２４に連結したことにより、乗車ステップ８とステップ支持フレーム２０がトラックフレーム２４の補強部材になるので、クローラ走行装置１の強度が向上する。
【００４７】
また、操縦席２１と補助作業者席２２を拾上げコンベア３の搬送終端部近くで、且つ汲上げコンベア４の搬送始端部近くの機体外側方に各々設けたことにより、作業者が作物を手作業で選別できると共に、夾雑物や収穫に不適当な作物を手作業で除去しやすくなるので、夾雑物や収穫に不適な作物を自動的に除去する選別装置が不要になり、機体の大型化が防止される。
【００４８】
そして、拾上げコンベア３、汲上げコンベア４及びコンテナ受け台６を左右のクローラ走行装置１，１の左右間に配置したことにより、クローラ走行装置１，１の前後長さに係わらず干渉しない構成になるので、クローラ走行装置１，１接地面積を大きくして接地抵抗を軽減することで、走行性を向上させることができる。
【００４９】
また、拾上げコンベア３の駆動源を伝動モータ２３としたことにより、拾い上げる作物の量に合わせて搬送速度を自在に調節することができるので、拾上げコンベア３上の作物が転げ落ちる前に汲上げコンベア４に送ることができ、作物同士がぶつかり合って傷付くことが防止される。
【００５０】
また、搬送速度が速すぎ、作業者が拾上げコンベア３上の作物の状態（傷、病気など）を視認できなくなることを防止できるので、収穫に適さない作物を除外でき、選別能力が向上する。
【００５１】
また、汲上げコンベア４の駆動力を原動機７から得ることにより、走行速度と搬送速度を同調させることができるので、作物が搬送経路上に溜まることを防止できる。
【符号の説明】
【００５２】
１  クローラ走行装置
２  機体
３  拾上げコンベア
４  汲上げコンベア
５  コンテナ
６  コンテナ受台
７  原動機
８  乗車ステップ
９  操縦装置
１０  原動カバー
２０  ステップ支持フレーム
２３  伝動モータ（駆動源）
２４  トラックフレーム
【図１】
2019004737.tif 000003
【図２】
2019004737.tif 000004